(57)【要約】【課題】磁気的な特性のバラツキによって推力の変化を生じないようにしたＶＣＭを提供するとともに、このようなＶＣＭを簡単な方法で精度良く組立てるＶＣＭの組立方法を提供し、さらにこのようなＶＣＭを用いて安価に高性能な磁気ディスク装置を提供する。【解決手段】回動中心７と、回動中心７の半径方向に設けられたシャーシの位置決め穴３０と、位置決め治具３６とによりＶＣＭ用のマグネット６が磁気的に位置決めされる。位置決め治具３６はピボット軸の軸心に設けられた中心穴７ａに対応して回動中心を拾う位置決めピン３１と回動中心に対し半径方向でコイル９の外側で所定の位置に設けられたシャーシの位置決めの穴３０に対応する回り止めピン３２及びこれらの間に配置された２本の支持アーム３３、スペーサ３４、ホルダー３５、導体３７により構成される。【選択図】　　図５
2004048924.tif 000002
【特許請求の範囲】
【請求項１】
一対のヨークと少なくとも片方の前記ヨークに取り付けられた面内２極に着磁されたマグネットを有し、前記一対のヨークの間に設けられる磁気ギャップ内に回動可能に支持され、一端に磁気ヘッドを有し、他端に前記磁気ギャップに配置されるコイルを有する揺動型のＶＣＭにおいて、前記マグネットが磁気的に位置決めされることを特徴とするＶＣＭ。
【請求項２】
シャーシに格納された磁気ディスクと、磁気ヘッドと、前記請求項１記載のＶＣＭとを備え、前記ＶＣＭのマグネットは、回動中心と前記回動中心の半径方向に設けられた前記シャーシの位置決め穴と磁界を発生する位置決め手段とにより磁気的に位置決めされることを特徴とする磁気ディスク装置。
【請求項３】
前記シャーシの位置決め穴は、前記コイルより外側に設けられることを特徴とする請求項２に記載の磁気ディスク装置。
【請求項４】
前記位置決め手段の前記磁界により発生される力は、互いの位置関係が所要の関係にあるとき、前記回動方向に対して最も大きくなることを特徴とする請求項２又は請求項３に記載の磁気ディスク装置。
【請求項５】
前記位置決め手段の前記磁界を発生する手段は、前記マグネットの極ピッチに対して異なる関係としたことを特徴とする請求項２乃至４のいずれかに記載の磁気ディスク装置。
【請求項６】
一対のヨークの少なくとも片方の前記ヨークに取り付けられたマグネットを面内２極に着磁する手順と、前記ヨークをシャーシに装着する手順と、前記一対のヨークの間に設けられる磁気ギャップ内に回動可能に支持され、一端に磁気ヘッドを有し、他端に前記磁気ギャップに配置されるコイルを有する揺動型のＶＣＭの、回動中心と前記回動中心の半径方向に設けられた前記シャーシの位置決め穴とで位置決めされる位置決め治具を装着する手順と、前記位置決め治具により磁界を発生させる手順と、前記マグネットが磁気的に位置決めされる手順と、前記位置決めされた位置関係にて前記ヨークを固定する手順と、前記位置決め治具を前記シャーシより外し、前記磁気ギャップに配置される前記コイルを装着する手順を経て組立てられることを特徴とするＶＣＭの組立て方法。
【発明の詳細な説明】
【０００１】
【発明の属する技術分野】
本発明は、パーソナルコンピュータなどに用いられる揺動型のＶＣＭ（Ｖｏｉｃｅ　Ｃｏｉｌ　Ｍｏｔｏｒ）及びＶＣＭの組立て方法並びにこれを用いた磁気ディスク装置に関する。
【０００２】
【従来の技術】
従来の磁気ディスク装置におけるＶＣＭ（Ｖｏｉｃｅ　Ｃｏｉｌ　Ｍｏｔｏｒ）は、例えば、特開平５−２６６６０９号公報や、特開２００１−３４４９１６号公報に見られるように、シャーシに対して下ヨーク、永久磁石、コイル、上ヨーク、トップカバーが積層構造になっているとともに薄型化を実現できるように前記シャーシの一部や、前記カバーの一部に、穴を設けて、厚みを低減できるように構成されている。
【０００３】
【発明が解決しようとする課題】
近年、パーソナルコンピュータは一層小型化され、性能も向上しており、磁気ディスク装置に要求される性能も高まっている。つまり、小型で大容量、高速の磁気ディスク装置が望まれている。
【０００４】
しかしながら、上記従来のＶＣＭや磁気ディスク装置においては、以下に述べる問題があった。すなわち、ＶＣＭや、磁気ディスク装置の小型・薄型化が更に求められる中、従来の構成では、ＶＣＭの回動範囲においてその推力の発生源であるマグネット自身の磁気的な位置精度を高めるように構成されていないため、ＶＣＭの回動範囲で、その推力が変化するという問題があった。
【０００５】
更に詳しく述べると、例えば１つのマグネットが下側のヨークに固定されており、マグネットとヨークの機械的な寸法のみによって位置決めされている。これらのＶＣＭにおいては、マグネットの磁気的な位置関係及び着磁による磁気的なバラツキなどが考慮されずに機械的な位置関係で組立てられる。つまり、これらに示す磁気的な特性のバラツキによって推力の変化が生じてしまい、ＶＣＭに流す電流値や、電流波形などを、ファームウェア（Ｆｉｒｍｗａｒｅ）などによって調整することで推力の変化を防止していた。このために、コストが増加したり、ＶＣＭの特性を制限して用いたりしてＶＣＭの特性が向上しにくい、更には、ＶＣＭの消費電力が大きくなるなどの問題があった。
【０００６】
本発明は上記従来の問題を解決するもので、磁気的な特性のバラツキによって推力の変化を生じないようにしたＶＣＭを提供するとともに、このようなＶＣＭを簡単な方法で精度良く組立てるＶＣＭの組立方法を提供し、さらにこのようなＶＣＭを用いて安価に高性能な磁気ディスク装置を提供することを目的とする。
【０００７】
【課題を解決するための手段】
上記目的を達成するために、本発明の請求項１記載のＶＣＭは、一対のヨークと少なくとも片方の前記ヨークに取り付けられた面内２極に着磁されたマグネットを有し、前記一対のヨークの間に設けられる磁気ギャップ内に回動可能に支持され、一端に磁気ヘッドを有し、他端に前記磁気ギャップに配置されるコイルを有する揺動型のＶＣＭにおいて、前記マグネットが磁気的に位置決めされるように構成したものである。この構成により、回動中心に対して、回動範囲において磁気的に所要の位置関係でマグネットを配置することができ、これにより、回動範囲において所要の磁気的な位置関係が実現でき、推力の変化を低減できる。
【０００８】
また請求項２記載の磁気ディスク装置は、シャーシに格納された磁気ディスクと、磁気ヘッドと、前記請求項１記載のＶＣＭとを備え、前記ＶＣＭのマグネットは、回動中心と前記回動中心の半径方向に設けられた前記シャーシの位置決め穴と磁界を発生する位置決め手段とにより磁気的に位置決めされるように構成したものである。この構成により、回動中心に対して、回動範囲において磁気的に所要の位置関係でマグネットを配置することができ、これにより、回動範囲において所要の磁気的な位置関係が実現でき、推力の変化を低減できる。これにより磁気ディスク装置のＶＣＭ推力のバラツキを低減することが可能になり、磁気ディスク装置のコスト低減ができる。
【０００９】
また請求項３記載の磁気ディスク装置は、前記シャーシの位置決め穴は、前記コイルより外側に設けられるように構成したものである。この構成により、位置決め手段の位置を決定するピッチを大きく取ることができる。これによって、更なる位置精度の向上ができ、推力の変化をさらに低減することが可能となる。
【００１０】
また請求項４記載の磁気ディスク装置は、前記位置決め手段の磁界により発生する力が、互いの位置関係が所要の関係にあるとき、回動方向に対して最も大きくなるように構成したものである。この構成により、マグネット自身が位置決め手段に対して倣うように位置が決まる。従ってマグネットの方からセルフアラインするので作業も容易に精度良くでき、さらにコストの低減も図れる。
【００１１】
また請求項５記載の磁気ディスク装置は、前記位置決め手段の前記磁界を発生する手段は、前記マグネットの極ピッチに対して異なる関係としたものである。この構成により、マグネットの位置決めが、その磁気的センターに位置する場合に発生する力をバランスさせることができることによって位置決め精度を向上させることができる。
【００１２】
また請求項６記載のＶＣＭの組立て方法は、一対のヨークの少なくとも片方の前記ヨークに取り付けられたマグネットを面内２極に着磁する手順と、前記ヨークをシャーシに装着する手順と、前記一対のヨークの間に設けられる磁気ギャップ内に回動可能に支持され、一端に磁気ヘッドを有し、他端に前記磁気ギャップに配置されるコイルを有する揺動型のＶＣＭの、回動中心と前記回動中心の半径方向に設けられた前記シャーシの位置決め穴とで位置決めされる位置決め治具を装着する手順と、前記位置決め治具により磁界を発生させる手順と、前記マグネットが磁気的に位置決めされる手順と、前記位置決めされた位置関係にて前記ヨークを固定する手順と、前記位置決め治具を前記シャーシより外し、前記磁気ギャップに配置される前記コイルを装着する手順を経て組立てられるようにしたものである。この手順により、回動中心に対して、回動範囲において磁気的に所要の位置関係でマグネットを配置することができる。これにより、回動範囲において所要の磁気的な位置関係が実現でき、推力の変化を低減でき、ＶＣＭの特性を確保できるとともに、簡単な方法で精度良くＶＣＭを組立てることができる。
【００１３】
【発明の実施の形態】
以下、本発明の実施の形態について、図面を用いて説明する。
【００１４】
図１は、本発明における磁気ディスク装置（以下ＨＤＤと略す）の分解斜視図である。図２は、本発明のＨＤＤにおける要部断面図である。図３は、本発明のＨＤＤの全体（回路基板部分を除く）を示す要部平面図である。図４は、本発明のＶＣＭ（Ｖｏｉｃｅ　Ｃｏｉｌ　Ｍｏｔｏｒ）の要部分解斜視図である。図５は、本発明における、位置決め治具についての斜視図である。図６は、位置決め治具の動作を説明する図である。図７は、位置決め方法の手順を示すフロー図である。
【００１５】
図１乃至図３を用い本発明に係るＨＤＤの構成を説明する。回路部分を除くＨＤＤは、以下、ＨＤＡ（Ｈｅａｄ　Ｄｉｓｋ　Ａｓｓｅｍｂｌｅ）と略す。ＨＤＡ１は、上方が開口した概矩形箱状をしたアルミニウム製などのシャーシ２と、シャーシ２の上端開口部を塞ぐカバー３とを有している。また、ＨＤＡ１内には、アルミニウムやガラスなどの非磁性基材上にスパッタリングなどによりＣｏ−Ｃｒ系などの磁性材を付着させ、所要の潤滑材や保護膜などを形成した磁気記録媒体としてのディスク１６、及び、ディスク１６の下面にディスクを回転させるための回転軸１６ａが形成されている。
【００１６】
スピンドルモータ（ＳＰＭ）１７は、ディスク１６の回転軸１６ａを中央に設けられた軸受け部１７ａにて支持し回転させる。スピンドルモータ１７の軸受けには、流体軸受けを用いており、モータの形態は周対向型のＤＤモータである。これにより、ディスク１６を高い回転精度で回転できるようにしている。ディスク１６の半径方向の振れについては、ＲＲＯ（Ｒｅｐｅａｔａｂｌｅ　Ｒｕｎ−Ｏｕｔ）及びＮＲＲＯ（Ｎｏｎ　Ｒｅｐｅａｔａｂｌｅ　Ｒｕｎ−Ｏｕｔ）などで規定された高精度の要求を満たすように設計されている。
【００１７】
ディスク１６に対して情報の記録または、再生を行う磁気ヘッド１２は、磁気ヘッド１２を支持するサスペンション１０の先に、図示しないジンバルばねに取り付けられて、ロードビーム（図示せず）により付勢力が伝達されるようになっている。磁気ヘッド１２には、図示しないスライダーに書込み用の薄膜ヘッドと、読出し用のＧＭＲヘッドとが取り付けられている。また、スライダーは所要の形状を持たせたＡＢＳ（Ａｉｒ　Ｂｅａｒｉｎｇ　Ｓｕｒｆａｃｅ）面を持つ負圧スライダーにしてある。
【００１８】
サスペンション１０は、ピボット軸受け７によりディスク１６のトラック方向（半径方向）に対して回動自在に支持されている。アクチュエータ１９は、サスペンション１０とコイルアーム８とで構成されている。アクチュエータ１９は、ＶＣＭ２０により回動および位置決めされ磁気ヘッド１２を所要のトラック方向に移動または位置決めされるようになっている。ディスク１６の外周側には、アクチュエータ１９の待避位置にランプ１８が設けられており、ＨＤＤの動作停止の際に、アクチュエータ１９を待避位置にアンロードし、ＨＤＤの非動作時に、アクチュエータ１９を待避位置に保持する。磁気ヘッド１２を電気的にヘッドアンプ１４に接続するフレキシブル基板（ＦＰＣ）１５等が収納されている。
【００１９】
シャーシ２の下面には、モータなどの動作等を制御する駆動回路や、読出し／書込み回路、ＨＤＣ（Ｈａｒｄ　Ｄｉｓｋ　Ｃｏｎｔｒｏｌｌｅｒ）などが実装された回路基板（図示せず）が固定され、これによりＨＤＤが構成される。このＨＤＤは、ＣＳＳ（Ｃｏｎｔａｃｔ　Ｓｔａｒｔ　Ｓｔｏｐ）の形態でなくロード／アンロード機構の形態をとっている。ディスク１６は、ＨＤＤが動作又は非動作のとき、スピンドルモータ１７により回転又は停止する。ディスク１６の表面には、図示していないが、データおよびサーボ情報が記録されるトラックが同心円状に配置されている。トラックは、更に細かな（５１２Ｂｙｔｅ単位など）セクターに分割されている。また、トラック位置によって線記録密度がほぼ一定になるようにゾーンビット記録をするようになっている。
【００２０】
図２において、コイルアーム８とサスペンション１０とは、ピボット軸受け７に回動自在に支持されており、ピボット軸受け７に対してそれぞれが反対の位置関係に配置されている。また、サスペンション１０の先端部には、ランプ１８に待避するためのタブ１１が設けられている。タブ１１は、待避位置に移動したときに、ランプ１８により保持される部分であり、ランプ１８に接触する凸部が形成されている（図示せず）。これは、ランプ１８との摩擦を低減してコンタミネーション（汚染）の防止とディスク１６上から待避位置または、逆の移動の際に磁気ヘッド１２の姿勢が変化してディスク１６との接触を防止するためである。
【００２１】
本実施形態におけるＨＤＡ（Ｈｅａｄ　Ｄｉｓｋ　Ａｓｓｅｍｂｌｅ）においては、１プラッター１ヘッドと称され、ディスク１６の上面のみを記録面とし、１つの磁気ヘッドを用いる形態としている。磁気ヘッド１２は、図示しない回路基板からデータをディスク１６に記録、またディスク１６に記録されたデータの読み出しを行う。記録については、１６ｂｉｔ−１７ｂｉｔの変調方式を用いてＢｙｔｅ単位でコードの変換を行い記憶容量の向上と記録・再生の特性の向上を行っている。これらの信号は、ヘッドアンプ１４に接続されているＦＰＣ１５を介して磁気ヘッド１２との間で授受される。
【００２２】
磁気ヘッド１２は、スライダー（図示せず）に取り付けられ、サスペンション１０により与えられる付勢力によりディスク１６に付勢されている。スライダーは前述のように所要の形状を持たせたＡＢＳ面を持つ負圧スライダーにしてあり、ディスク１６の回転により発生する空気流の流入により、所要の正圧及び負圧を生じ非常にわずかな浮上量（１０〜３０ｎｍ）にて安定して浮動するようになっている。
【００２３】
ＶＣＭ２０は、コイル９と、上ヨーク４、下ヨーク５、マグネット６とから構成されている。アクチュエータ１９のコイルアーム８に固定されたコイル９の下端面には、所定の空隙を介してマグネット６が対向配置されている。マグネット６は、下ヨーク５に固定されている。コイル９の上方には、所定の空隙を介して上ヨーク４が対向配置されている。この構成により磁気回路を形成し、コイルアーム８を、上ヨーク４とマグネット６とに挟まれた空間に配置してあるので、コイル９が回動可能となっている。マグネット６は、エネルギー積の高いＮｄ−Ｆｅ系の焼結製のもので、表面をＮｉなどによる防錆処理し面内を２極に着磁して用いている。
【００２４】
ランプ１８は、タブ１１に対応する斜面、平面などから形成される複合平面（図示せず）を有しており、アンロード時のサスペンション１０の揺動に伴うタブ１１の運動方向、すなわちディスク１６の径方向外側に向けて、上記複合平面が配置されて、シャーシ２に固定されている。なお、アクチュエータ１９とＶＣＭ２０とランプ１８とで、ロード／アンロード機構を構成している。
【００２５】
ＶＣＭ２０の構成について図４を用いて更に詳しく説明する。図４において、マグネット６は、面内２極に着磁されており、上面が、Ｓ極となっている６Ｓと、Ｎ極となっている６Ｎ及びその間に挟まれているニュートラルゾーンと呼ばれる６ａとから成り立っている。マグネット６は、下ヨーク５に対して嫌気性の接着剤などを用いて固定される。マグネット６の上方には、コイル９、上ヨーク４が空隙を持って配置される。下ヨーク５は、シャーシ２に設けられた取付け穴２ａに嵌入され、下ヨーク５に設けられた貫通穴５ａを通しシャーシ２上の取付け用のねじ穴２１に対して、ねじ２２により下側より取り付けられるようにしてある。取付け穴２１と貫通穴５ａは、下ヨーク５がアクチュエータ１９の回動する面と平行の面内に適当な隙間が設けられるように構成されている。シャーシ２に設けられた位置決め用の穴３０は、ピボット軸受け７に対してその半径方向で、コイル９の外側に配置されている。形状は、ピボット軸受け７に対してその半径方向が長い長穴にしている。これらの隙間や、穴の形状などについては適宜その寸法を設定することができ、ＨＤＡ（Ｈｅａｄ　Ｄｉｓｋ　Ａｓｓｅｍｂｌｅ）を構成した時には、図示しないが適当なシール及び薄膜状フィルム等により、空隙を封止して外気からの粉塵等の混入を防ぐようにされる。
【００２６】
次にＨＤＤについて、その動作を説明する。まず、図示していない回路基板に搭載された駆動回路への駆動信号により、スピンドルモータ１７が駆動され、それに連れてディスク１６が所定の回転速度で回転する。本実施形態においては、所定の回転速度を３，０００Ｓ−１（３，０００　ｒｅｖｏｌｕｔｉｏｎ　ｐｅｒ　ｓｅｃｏｎｄ）としてある。ランプ１８に退避していた磁気ヘッド１２がＶＣＭ２０によりピボット軸を中心に回動し磁気ヘッド１２をディスク１６面へとロードする。ディスク１６の回転により発生した空気流が、スライダーとディスク１６との間を通る。これにより、スライダーは、サスペンション１０の付勢力に抗して、ディスク１６との間で非常にわずかな浮上量（１０〜３０ｎｍ）にて安定して浮動する。これにより磁気ヘッド１２のロードが完了する。続いて、トラック情報などを読み取り、アクワイヤーと呼ばれるトラック認識などの一連の動作が行われる。
【００２７】
次にＶＣＭの動作について説明する。ＶＣＭ２０はコイル９に通電されると、マグネット６からの磁束とコイル９の電流とによってフレミングの左手の法則に従って推力が発生する。コイル９は、マグネット６が固定されているのでその反作用として推力を発生しコイル９を保持しているコイルアーム８を有するアクチュエータ１９をピボット軸に対して回動させる。これにより、アクチュエータ１９はコイル９への通電量に応じた角度で回動される。サスペンション１０に支持された磁気ヘッド１２は、ディスク１６の半径方向に沿って、ディスク１６上を浮上状態で移動し、所望のトラック上に位置決めされディスク１６に対して情報の記録、再生が行われる。
【００２８】
ＶＣＭ２０への推力は、ピボット軸受け７の回動中心に対するマグネット６の取付精度により影響される。つまり、コイル９に対して鎖交する磁束の影響を受けるからである。これは、推力の発生が磁束Ｂ×電流Ｉ×長さＬの法則（磁束×電流×長さ　則）によるためであり、その主要因がマグネット６の取付精度によるものと考えられる。マグネット６の取付精度の低下によって、推力が回動方向の位置によって変化したり、推力が全体に不足したりすることがある。これらに対しては、回動方向の位置つまり、トラックの位置に対してコイル９に流す電流値を調整したり、サーボループのゲイン調整などをＨＤＡごとに行ったり、ファームウェア（Ｆｉｒｍｗａｒｅ）などに電流調整などのステップを入れることなどで対応していた。
【００２９】
従来、マグネット６の取付精度を低下させている要因としては、下ヨーク５のシャーシ２への取付け位置精度、下ヨーク５に対するマグネット６の位置精度、着磁時の位置精度などが結果として考えられている。また、上ヨーク４及び下ヨーク５自身の大きさについては位置精度に影響されないような大きさにしている。しかし、位置精度の持つ意味としては、ピボット軸に対して所要の位置にマグネット６を配置することではなく、所要の位置関係に磁気的にマグネット６を配置することに意味がある。
【００３０】
次に図５を用いて所要の位置関係に磁気的にマグネットを配置することを説明する。図５において位置決め治具３６はピボット軸の軸心に設けられた中心穴７ａに対応して回動中心を拾う位置決めピン３１と回動中心に対し半径方向でコイル９の外側で所定の位置に設けられたシャーシ２の位置決めの穴３０に対応する回り止めピン３２及びこれらの間に配置された２本の支持アーム３３、スペーサ３４、ホルダー３５、導体３７により構成されている。位置決めピン３１は、工具鋼などの丸棒を焼き入れ研磨して先端部分にはテーパを付けて中心穴７ａに対して挿入しやすくしかも精度良く回動中心が拾えるようにしてある。回り止めピン３２も位置決めピン３１と同様に作られるが、回動方向に対する幅が規制される形状であれば丸棒に限定されない。図５は角棒で例示している。
【００３１】
２本の支持アーム３３は、非磁性体の絶縁体で作られており、支持アーム３３内に導体３７が通してある。導体３７に対しては電源３８により電流が流される。導体３７はそれぞれ電源３８より同じ電流が供給されるように、電気抵抗が同じとなるように作られているが、電源３８を２つ用いてそれぞれに同じ電流値が供給されるように構成しても良い。スペーサ３４及びホルダー３５は、所要の強度を持った絶縁体で作られる。また、導体３７に流す電流により発生するジュール熱についても考慮されており、本実施形態では熱伝導率の良いセラミックを用いてある。本実施形態においては２本の支持アーム３３の間隔は、コイルＳ極とＮ極それぞれにおいてマグネット６の着磁された磁気的な中心の位置の間隔（極ピッチ）よりも広くなるように配置されている。
【００３２】
図６は、図５に示した位置決め治具３６の動作を説明するための図である。図６においては上から順に、２本の支持アーム３３の位置、磁極、磁束分布が示されている。２本の支持アーム３３の中間位置は、マグネット６のＳ極とＮ極の磁気的なセンターと異なる位置である。このとき、支持アーム３３に対する力は内部に通してある導体３７に対するフレミングの左手の法則により、磁束分布Ｂに従ってＳ極側では左向きの力５０がかかり、Ｎ極側では右向きの力５１がかかる。ここで、２本の支持アーム３３の間隔はマグネット６の極ピッチよりも広く配置されているので、右向きの力５１より左向きの力５０の力が大きくなる。したがって、支持アーム３３には左向きの力（正確には５０と５１との差に等しい大きさ）がかかることになる。そして、左向きの力と右向きの力が等しくなる位置が最も安定する位置になる。
【００３３】
また、電流を逆向きに流したと仮定すると、上記の動作と同様にして作用を及ぼすが、右向きの力５０’及び左向きの力５１’の力のバランスから、磁極の中心に対して安定できなくなることが理解される。この場合、前述とは逆に２本の支持アーム３３のピッチを、Ｓ極とＮ極の磁気的な中心の位置の間隔より狭くすることで同様の効果が得られ、この問題を解決することができる。これらの条件については、適宜選択することで同様の効果を奏することが容易に理解されよう。従って、この方法によれば、支持アーム３３により磁気的に所要の位置に位置決めすることができる。この場合には、更にＳ極とＮ極の磁気的なバランスを含め、ＶＣＭ２０のコイル９にとって所要の位置関係とすることになる。更には、位置決め治具３６を固定し、マグネット６の固定されている下ヨーク５をフリーにすることによって、下ヨーク５が位置決め治具３６に対して所要の位置関係に倣うようにしてある。これにより、下ヨーク５が位置決め治具３６に対してセルフアラインするのでこの状態でねじ２２により下ヨーク５をシャーシ２に対して固定すればなお作業性が向上する。
【００３４】
次に、図７を用いてＶＣＭの組立て手順について説明する。図７は、本発明におけるＶＣＭ２０の組立て手順を示すものである。まず、下ヨーク５とマグネット６とを接着し下ヨークＡＳＭ（Ａｓｓｅｍｂｌｙ　Ｍｏｄｕｌｅ）とする手順４０により未着磁の下ヨークＡＳＭを組立てる。マグネット６を着磁する手順４１により、面内２極に着磁し下ヨークＡＳＭが完成する。
【００３５】
この場合の着磁は、通常のパルス着磁で行われる。着磁ヨークには所要の位置決めが設けられている。着磁に関しての確認または検査は、マグネットビューワーや、Ｆｌｕｘメータなどを用い、着磁電圧を管理対象として行われる。次にピボット軸受け７が取り付けられたシャーシ２に下ヨークＡＳＭを装着する手順４２、回動中心となるピボット軸受け７の中心とシャーシ２の位置決め穴３０を拾い位置決め治具３６をシャーシ２に装着し、通電する手順４３により組立て準備が完了する。
【００３６】
次に、前述の説明のように下ヨークＡＳＭが位置決め治具３６に対してセルフアラインして所要の位置に位置決めされる。ねじ２２により下ヨークＡＳＭをシャーシ２に固定する手順４４、位置決め治具３６をシャーシ２より外す手順４５により下ヨークＡＳＭの組立てが完了する。その後にコイル９、アクチュエータ１９を装着する手順４６、上ヨーク４を組立てる手順４７を経てＶＣＭ２０の組立てが完了する。
【００３７】
以上説明したようにＶＣＭ２０の機械的な位置精度、下ヨーク５に対するマグネットの貼り付け位置誤差、着磁誤差などの誤差要因を含めＶＣＭ２０の位置決めが容易にできる。これにより、コイル９に鎖交する磁束密度Ｂを安定化することができ、結果として推力の変動を防止することができる。これにより、ＶＣＭ２０さらには、ＶＣＭ２０を用いたＨＤＤの特性向上や、コストの低減を図ることができる。
【００３８】
以上に説明した本実施形態に対して、上ヨーク４にもマグネット６が配置される場合や本発明思想を基づいて適宜構成変更することも本発明の技術思想に含まれることは明らかである。
【００３９】
【発明の効果】
以上に示した本実施形態の説明から明らかなように、本発明は、揺動型のＶＣＭにおいて、回動中心と、回動中心の半径方向に設けられたシャーシの位置決め穴と、磁界を発生する位置決め手段とによりＶＣＭ用のマグネットが磁気的に位置決めされるように構成したものである。この構成によって、回動中心に対して、磁気的に所要の位置関係でマグネットを配置できることにより、コイルに鎖交する磁束密度を安定化することができ結果として推力の変動を防止することができる。これにより、ＶＣＭ、さらには、ＶＣＭを用いたＨＤＤの特性向上や、コストの低減を図ることができるという効果を有する。
【図面の簡単な説明】
【図１】本発明の実施形態におけるＨＤＤの分解斜視図
【図２】本発明の実施形態におけるＨＤＤの要部断面図
【図３】本発明の実施形態におけるＨＤＤの要部平面図
【図４】本発明の実施形態におけるＶＣＭの要部分解斜視図
【図５】本発明の実施形態における位置決め治具の斜視図
【図６】本発明の実施形態における治具の動作を説明するための図
【図７】本発明の実施形態における位置決め手順を示すフロー図
【符号の説明】
１　ＨＤＡ
２　シャーシ
２ａ　穴
３　カバー
４　上ヨーク
５　下ヨーク
５ａ　穴
６　マグネット
６ａ　ニュートラルゾーン
６Ｎ　Ｎ極
６Ｓ　Ｓ極
７　ピボット軸受け
７ａ　中心穴
８　コイルアーム
９　コイル
１０　サスペンション
１１　タブ
１２　磁気ヘッド
１４　ヘッドアンプ
１５　ＦＰＣ（フレキシブル基板）
１６　ディスク
１６ａ　回転軸
１７　スピンドルモータ
１７ａ　軸受け部
１８　ランプ
１９　アクチュエータ
２０　ＶＣＭ
２１　取付けねじ穴
２２　ねじ
３０　位置決め用の穴
３１　位置決めピン
３２　回り止めピン
３３　支持アーム
３４　スペーサ
３５　ホルダー
３６　位置決め治具
３７　導体
３８　電源
４０〜４８　組立て手順
５０　左向きの力
５０’　右向きの力（電流の向きが逆）
５１　右向きの力
５１’　左向きの力（電流の向きが逆）
【図１】
2004048924.tif 000003
【図２】
2004048924.tif 000004
【図３】
2004048924.tif 000005
【図４】
2004048924.tif 000006
【図５】
2004048924.tif 000007
【図６】
2004048924.tif 000008
【図７】
2004048924.tif 000009